(57)【要約】【課題】  引っ越し等にあたって、靴のように、サイズや形状が種々異なる物品であっても、即座に収納していくことができ、梱包作業の大幅な効率化を実現することができるようにする。【手段】  プラスチック製段ボールからなり、左右壁３・４および上下壁５・６を有し、前後の開口部７Ａ・７Ｂにそれぞれ左右一対の扉８Ａ・８Ｂ・９Ａ・９Ｂが揺動自在に連成されたボックス本体２と、上壁５と下壁６との間に立設され、ボックス本体２内を左右に均等に仕切る仕切壁部材１１と、仕切壁部材１１と交差し、上下方向に複数段設けられる棚板１２部材とが一体に設けられ、且つ全体が左右いずれかの方向に折り畳み自在となされている。【選択図】  図１
2020189659.tif 000002
【特許請求の範囲】
【請求項１】
左右壁および上下壁を有し、前後の開口部に一または複数の扉を有するボックス本体と、上壁と下壁との間に立設され、ボックス本体内を左右に仕切る仕切壁部材と、仕切壁部材と交差し、上下方向に複数段設けられる棚板部材とが一体に設けられ、且つ全体が左右いずれかの方向に折り畳み自在となされている、靴等の搬送用ボックス。
【請求項２】
各棚板と仕切壁部材に、前後いずれか一側縁から他側縁方向へ伸び、且つ互いに対向する前後一対のスリットが形成されて、棚板のスリットに仕切壁部材の他側縁側部分が嵌め入れられ、仕切壁部材のスリットに棚板の他側縁側部分が嵌め入れられて、仕切壁部材と各棚板が嵌め合わされている、請求項１記載の靴等の搬送用ボックス。
【請求項３】
各棚板の両側端および仕切壁部材の上下端にそれぞれ屈曲部が設けられ、各棚板における一側端の屈曲部の方向が同他側端の屈曲部の方向と逆方向となされて、ボックス本体が左右いずれか一方向へ折り畳み自在となされており、仕切壁部材の上下端における屈曲部は上端と下端で逆方向となされ、且つ前記ボックス本体の折り畳み方向と一致するように設けられていることを特徴とする、請求項１または請求項２記載の靴等の搬送用ボックス。
【請求項４】
前後の開口部に扉を受ける扉受部が設けられている、請求項１〜請求項３のうちのいずれか一項記載の靴等の搬送用ボックス。
【請求項５】
扉と扉受部とが面ファスナを介して着脱自在となされている、請求項１〜請求項４のうちのいずれか一項記載の靴等の搬送用ボックス。
【請求項６】
扉が前後の開口部の略半部分を塞ぐ二枚構成であり、且つ開口部の左右縁に揺動自在に設けられ、扉受部は前記開口部の上下縁の全長にわたって設けられ、面ファスナは、左右の扉の内面外縁角部と各扉受部の外面長さ中央部分にそれぞれ一対設けられて、これら面ファスナによって、左右の扉が上下の扉受部に対して着脱自在となされている、請求項５記載の靴等の搬送用ボックス。
【発明の詳細な説明】
【技術分野】
【０００１】
本発明は、引っ越し等の際に、靴等を収容して搬送するための搬送用ボックスに関する。
【背景技術】
【０００２】
一般に、引っ越しをする際には、引っ越し業者から事前に提供される紙製の段ボール箱に、食器や衣類、本および雑誌、道具類等をそれぞれ分別して入れるが、通常、前記段ボール箱は内部全体が空所であるため、箱内に前述した各種物品を収納する場合には、新聞紙やエアキャップ等の緩衝材で包むことによって、搬送中に物品に衝撃が加わらないように詰めていく必要がある。
【先行技術文献】
【特許文献】
【０００３】
【特許文献１】実用新案登録第３１３０２０２号公報
【発明の概要】
【発明が解決しようとする課題】
【０００４】
しかしながら、前述したような梱包作業には、多大な手間と時間を要することとなり、また前述した緩衝材による物品の収納が適切に行われなかった際には、搬送中に物品が破損するおそれもある。
【０００５】
また、靴については、男性用、女性用および子供用によって、サイズが大きくことなる上、靴の種類によって全体形状が種々異なることから、特に梱包に手間と時間を要するという不都合があった。
【０００６】
以上のような問題に対処するために、紙製段ボールや発泡プラスチックシートからなる仕切り用部材も使用されているが、該仕切り用部材を使用する場合でも外包体となる前記紙製段ボール箱の内部空間に合わせて、仕切り用部材の一部を切除して外形サイズを調整したり、複数の異なる形状の仕切り用部材を組み合わせて使用する場合には、それらの箱内における組み合わせを考えながら梱包作業を行う必要があることから、梱包作業の大幅な効率化を行うことができないという問題があった。
【０００７】
本発明の目的は、靴のように、サイズや形状が種々異なる物品であっても、即座に収納していくことができ、また梱包作業の大幅な効率化も実現することができる搬送用ボックスを提供することにある。
【課題を解決するための手段】
【０００８】
請求項１記載の本発明は、左右壁および上下壁を有し、前後の開口部に一または複数の扉を有するボックス本体と、上壁と下壁との間に立設され、ボックス本体内を左右に仕切る仕切壁部材と、仕切壁部材と交差し、上下方向に複数段設けられる棚板部材とが一体に設けられ、且つ全体が左右いずれかの方向に折り畳み自在となされている搬送用ボックスである。
【０００９】
請求項２記載の本発明は、前記請求項１記載の靴等の搬送用ボックスについて、各棚板と仕切壁に、前後いずれか一側縁から他側縁方向へ伸び、且つ互いに対向する前後一対のスリットが形成されて、棚板のスリットに仕切壁の他側縁側部分が嵌め入れられ、仕切壁のスリットに棚板の他側縁側部分が嵌め入れられて、仕切壁と各棚板が嵌め合わされているものである。
【００１０】
請求項３記載の本発明は、前記請求項１または請求項２記載の靴等の搬送用ボックスについて、各棚板の両側端および仕切壁の上下端にそれぞれ屈曲部が設けられ、各棚板における一側端の屈曲部の方向が同他側端の屈曲部の方向と逆方向となされて、ボックス本体が左右いずれか一方向へ折り畳み自在となされており、仕切壁の上下端における屈曲部は上端と下端で逆方向となされ、且つ前記ボックス本体の折り畳み方向と一致するように設けられていることを特徴とする。
【００１１】
請求項４記載の本発明は、前記請求項１〜請求項３のうちのいずれか一項記載の靴等の搬送用ボックスについて、前後の開口部に扉を受ける扉受部が設けられていることを特徴とする。
【００１２】
請求項５記載の本発明は、請求項１〜請求項４のうちのいずれか一項記載の靴等の搬送用ボックスについて、扉と扉受部とが面ファスナを介して着脱自在となされているものである。
【００１３】
請求項６記載の本発明は、前記請求項５記載の靴等の搬送用ボックスについて、扉が前後の開口部の略半部分を塞ぐ二枚構成であり、且つ開口部の左右縁に揺動自在に設けられ、扉受部は前記開口部の上下縁の全長にわたって設けられ、面ファスナは、左右の扉の内面外縁角部と各扉受部の外面長さ中央部分にそれぞれ一対設けられて、これら面ファスナによって、左右の扉が上下の扉受部に対して着脱自在となされているものである。
【発明の効果】
【００１４】
本発明に係る搬送用ボックスは、前述した通り、ボックス本体、扉、仕切壁部材および棚板等からなる構成部材が全て一体であって、折り畳むことで、全体が一枚の板状物とすることができるため、その保管や持ち運びが容易であり、また使用にあたっては、全体を引き起こすだけで簡単に組み上げることができるという格別の実用的利点を有する。
【００１５】
また、本発明に係る搬送用ボックスは、全体をプラスチック製段ボールや柔軟な発泡性プラスチックシート等で構成することで、当該搬送ボックス全体が緩衝作用を有するため、引っ越し等の際には、従来のように、収容する物品ごとに新聞紙やエアキャップ等で包む必要もなく、前記各棚板上に収容する物品を載置だけで済むため、梱包作業の大幅な効率化が実現できる。
【００１６】
更に、本発明に係る搬送用ボックスは、前述した通り、全体が一体の板状物であって、他に細かな部品等が一切不要であるため、部品管理の手間等も全く省略され得るため、保管・管理も極めて容易であり、保管スペースの最小化も可能である。
【図面の簡単な説明】
【００１７】
【図１】本発明の実施形態に係る搬送用ボックスの正面図である。
【図２】同搬送ボックスの平面図である。
【図３】同搬送用ボックスの正面図であって、前後の扉が開いた状態を示す。
【図４】同搬送用ボックスにおける仕切壁と棚板との嵌め合せ状態を示す部分拡大斜視図である。
【図５】同搬送用ボックスの平面図であって、前側扉だけで開いた状態を示す。
【図６】同搬送用ボックスの正面図であって、前側扉だけで開いた状態を示す。
【図７】図６の状態から更に前側の右扉を閉じた状態の正面図である。
【図８】図７の状態から全ての扉を閉めた状態の斜視図である。
【図９】搬送用ボックス全体を折り畳んだ状態の平面図である。
【図１０】搬送用ボックス全体を折り畳んだ状態の斜視図である。
【図１１】同搬送用ボックスにおける仕切壁と棚板との嵌め合せ構造を示す部分拡大斜視図である。
【発明を実施するための形態】
【００１８】
次に、本発明を靴の搬送用ボックスに適用した場合の実施形態について図面にしたがって説明するが、本発明はかかる実施形態に限定されるものではない。
【００１９】
図１〜図３に示すように、本実施形態に係る搬送用ボックス１は、プラスチック製段ボールからなり、左右壁３・４および上下壁５・６を有し、前後の開口部７Ａ・７Ｂにそれぞれ左右一対の扉８Ａ・８Ｂ・９Ａ・９Ｂが揺動自在に連成されたボックス本体２と、上壁５と下壁６との間に立設され、ボックス本体２内を左右に均等に仕切る仕切壁部材１１と、仕切壁部材１１と交差し、上下方向に複数段設けられる棚板１２部材とが一体に設けられ、且つ全体が左右いずれかの方向に折り畳み自在となされている。
【００２０】
図４および図１１に示すように、本実施形態では、各棚板１２と仕切壁部材１１のうち、仕切壁部材１１の後端縁１１ｃから同前端１１ｄ寄り部分にかけて仕切壁スリット１１Ｓが形成され、各棚板１２における前端縁１２ｃから同後端縁１２ｄ方向に棚板スリット１２Ｓが形成されて、これらのスリット１１Ｓ・１２Ｓを対向させて仕切壁部材１１と棚板１２とを嵌め合わせることでこれらが結合されている。
【００２１】
また、本実施形態では、各棚板１２の左端部分に、上向きの屈曲部１２ａが形成され、同右端部分には、下向きの屈曲部１２ｂが形成され、これら屈曲部１２ａ・１２ｂは左右壁３・４に熱融着されている。
【００２２】
また、仕切壁部材１１の上端部分には左向きの屈曲部１１ａが形成され、同下端部分には右向きの屈曲部１１ｂが形成されており、これら屈曲部１１ａ・１１ｂは上下壁５・６に熱融着されている。
【００２３】
図１、図９および図１０に示すように、以上述べた構造の本実施形態に係る搬送用ボックス１は、右側方向（矢印Ａ方向）に押すことで全体が折り畳まれて一枚の板状に変形する。
【００２４】
図１〜図３、図５および図６に示すように、前後の開口部７Ａ・７Ｂの上下縁には、その全長にわたって扉８Ａ・８Ｂ・９Ａ・９Ｂを受ける扉受部１３がそれぞれ設けられ、扉受部１３の外面長さ中央部分には左右一対の面ファイナ１４Ａ・１５Ａ・１６Ａ・１７Ａが固着され、また左右の扉８Ａ・８Ｂ・９Ａ・９Ｂの内面外縁角部には前記面ファスナ１４Ａ・１５Ａ・１６Ａ・１７Ａと着脱自在に接着し得る面ファスナ１４Ｂ・１５Ｂ・１６Ｂ・１７Ｂが固着されている。
【００２５】
次に、本実施形態に係る搬送用ボックス１の使用方法について説明すると、図９及び図１０に示すように、折り畳まれた状態において、左方向（矢印Ｂ方向）に引き起こして、図２および図３に示すように、ボックス本体２を形成する。
【００２６】
その後、図５〜図８に示すように、前後の開口部７Ａ・７Ｂにおける扉受部１３を垂直に折り曲げて、該扉受部１３と左右の扉８Ａ・８Ｂ・９Ａ・９Ｂにおける対応する面ファスナ１４Ａ・１４Ｂ、１５Ａ・１５Ｂ、１６Ａ・１６Ｂ、１７Ａ・１７Ｂを順次、接着させることで、最終的に閉止状態の搬送ボックス１となる（図８参照）。
【００２７】
そのため、図５および図６に示すように、例えば後側の開口部７Ｂの扉９Ａ・９Ｂを閉めた状態で、前側の開口部７Ａから各棚板１２上に靴（図示せず）を載置して前側の扉８Ａ・８Ｂを閉止するだけで靴が当該搬送用ボックス１内に収容された状態となり、この状態で引っ越し先等の目的の場所まで容易にまとめて搬送することができる。
【００２８】
そして、目的の場所まで搬送した後においては、当該搬送用ボックス１の前側の扉８Ａ・８Ｂ、或いは更に後側の扉９Ａ・９Ｂを開けて、ボックス１内の各棚板１２上の靴を取り出した後、再び前記の逆の操作によって、最終的に図９および図１０に示す折り畳み状態とすることで、全体が一枚ものとなる。すなわち、当該搬送用ボックス１は、常に全体は一枚のものとして、折り畳みと組み立てが行え、別体構成の部材がないため、不使用時の運搬や保管、そして、使用時の組立てがいずれも簡単且つ即座に行えるのである。
【産業上の利用可能性】
【００２９】
本発明の搬送用ボックスは、前述した通り、不使用時の折り畳み保管と使用時の組立てが簡単且つ即座に行え、また全体が一枚ものであるため、別途、部品等も一切不要であって、管理も極めて容易であるため、引っ越し業等の分野において幅広い利用が期待できる。
【符号の説明】
【００３０】
１  搬送用ボックス
２  ボックス本体
３  左壁
４  右壁
５  上壁
６  下壁
７Ａ・７Ｂ  開口部
８Ａ・８Ｂ・９Ａ・９Ｂ  扉
１１  仕切壁部材
１２  棚板
１１Ｓ  仕切壁のスリット
１２Ｓ  棚板のスリット
１３  扉受部
１４Ａ・１５Ａ・１６Ａ・１７Ａ  一方の面ファスナ
１４Ｂ・１５Ｂ・１６Ｂ・１７Ｂ  他方の面ファスナ
【図１】
2020189659.tif 000003
【図２】
2020189659.tif 000004
【図３】
2020189659.tif 000005
【図４】
2020189659.tif 000006
【図５】
2020189659.tif 000007
【図６】
2020189659.tif 000008
【図７】
2020189659.tif 000009
【図８】
2020189659.tif 000010
【図９】
2020189659.tif 000011
【図１０】
2020189659.tif 000012
【図１１】
2020189659.tif 000013